(57)【要約】【課題】良好な除湿冷房効果が得られ、かつ結露水の排水が可能な天井設置型の除湿型放射空調システムを提供する。【解決手段】除湿型放射空調システム１０１は、天井１１に設けられた少なくとも１枚のパネル１０２を有している。パネル１０２は、冷却され除湿される空間Ｒと対向する冷却除湿面２１を備え、冷却除湿面２１は空間Ｒを冷却するとともに、冷却除湿面２１に結露水を生じさせることによって空間Ｒを除湿する。冷却除湿面２１は結露水を保持しながら水下へ誘導するように、水平方向に対して傾斜している。除湿型放射空調システム１０１はさらに、パネル１０２を冷却する冷却手段３と、パネル１０２の水下に設けられ、結露水を回収する結露水回収手段４と、結露水回収手段４に接続された排水配管５と、を有する。【選択図】図１
2019060586.tif 000002
【特許請求の範囲】
【請求項１】
天井に設けられた少なくとも１枚のパネルであって、冷却され除湿される空間と対向する冷却除湿面を備え、前記冷却除湿面は前記空間を冷却するとともに、前記冷却除湿面に結露水を生じさせることによって前記空間を除湿し、前記冷却除湿面は前記結露水を保持しながら水下へ誘導するように水平方向に対して傾斜している、少なくとも１枚のパネルと、
前記パネルを冷却する冷却手段と、
前記パネルの水下に設けられ、前記結露水を回収する結露水回収手段と、
前記結露水回収手段に接続された排水配管と、を有する、除湿型放射空調システム。
【請求項２】
前記冷却除湿面は、前記結露水を保持しながら水下へ誘導する第１の部分と、前記冷却除湿面の水下に設けられ、前記第１の部分より親水性が低い第２の部分と、を有し、
前記結露水回収手段は、前記第２の部分から間隔をおいて前記第２の部分の下方に位置する受け皿を有し、前記受け皿は前記第２の部分から落下する前記結露水を回収する、請求項１に記載の除湿型放射空調システム。
【請求項３】
前記結露水回収手段は、
前記冷却除湿面の水下に設けられた第１の結露水溜め部と、
前記パネルの前記冷却除湿面の裏面に設けられ、前記排水配管に接続された第２の結露水溜め部と、
前記第１の結露水溜め部を前記第２の結露水溜め部と結び、前記第１の結露水溜め部に保持された結露水を前記第２の結露水溜め部に毛細管力によって移送する細管と、を有する、請求項１に記載の除湿型放射空調システム。
【請求項４】
互いに平行に延びる複数の前記パネルと、各前記パネルと組み合わされた少なくとも１つの前記結露水回収手段とが設けられ、前記複数のパネルは鉛直方向に見たときに互いに部分的に重なり合うルーバーをなしている、請求項１から３のいずれか１項に記載の除湿型放射空調システム。
【請求項５】
互いに平行に延びる複数の前記パネルと、各前記パネルと組み合わされた少なくとも１つの前記結露水回収手段とが設けられ、前記複数のパネルは鉛直方向に見たときに互いに離隔している、請求項１から３のいずれか１項に記載の除湿型放射空調システム。
【請求項６】
水上と水下を結ぶ方向に沿って直列に配列された複数の前記パネルと、各前記パネルと組み合わされた複数の前記結露水回収手段とが設けられ、互いに隣接する一方の前記パネルの水下が他方の前記パネルの水上の下方にある、請求項１から３のいずれか１項に記載の除湿型放射空調システム。
【請求項７】
水上と水下を結ぶ方向に沿って直列に、かつ互いに部分的に重なり合うように配列された複数の前記パネルが設けられ、互いに隣接する一方の前記パネルの水下が他方の前記パネルの水上の上方にあり、前記結露水回収手段は最も水下となる前記パネルと組み合わされている、請求項１から３のいずれか１項に記載の除湿型放射空調システム。
【請求項８】
水上と水下を結ぶ方向に沿って直列に配列された一対の前記パネルが設けられ、一方の前記パネルの水下と他方の前記パネルの水下が互いに対向しており、前記一対のパネルの水下の下方に一つの前記結露水回収手段が設けられている、請求項１から３のいずれか１項に記載の除湿型放射空調システム。
【請求項９】
水上と水下を結ぶ方向に沿って直列に配列された一対の前記パネルが設けられ、一方の前記パネルの水上と他方の前記パネルの水上が互いに対向しており、前記一対のパネルの水下の下方のそれぞれに前記結露水回収手段が設けられている、請求項１から３のいずれか１項に記載の除湿型放射空調システム。
【請求項１０】
前記冷却手段は、前記パネルの前記冷却除湿面の裏面に配置され、冷媒が流通する冷却管である、請求項１から９のいずれか１項に記載の除湿型放射空調システム。
【請求項１１】
前記冷却管は前記パネルの裏面を蛇行する１本の管からなり、前記冷却管の上流部が前記パネルの水下側に、下流部が前記パネルの水上側に位置している、請求項１０に記載の除湿型放射空調システム。
【請求項１２】
前記冷却手段は、前記パネルの前記冷却除湿面の裏面と前記パネルの上方にあるとによって形成される空間に冷風を導入する冷風供給設備である、請求項１から９のいずれか１項に記載の除湿型放射空調システム。
【請求項１３】
前記パネルの前記冷却除湿面に光触媒膜が形成されている、請求項１から１２のいずれか１項に記載の除湿型放射空調システム。
【請求項１４】
自然光を拡散させ、拡散された自然光を前記光触媒膜が形成された前記冷却除湿面に照射する自然光拡散照射手段を有する、請求項１３に記載の除湿型放射空調システム。
【発明の詳細な説明】
【技術分野】
【０００１】
本発明は天井に用いられる除湿型放射空調システムに関し、特に天井パネルの構成に関する。
【背景技術】
【０００２】
従来から熱放射を用いた放射空調システムが知られている。放射空調システムにおいて冷房を行う際には、人間の周囲のパネルの温度が人間の体温より低く設定される。これによって、人間が放射によって失うエネルギーが吸収するエネルギーよりも高くされ、所望の冷房効果が得られる。暖房時には、人間の周囲のパネルの温度が、人間の体温より低いが人間の体温に近い温度に設定される。これによって、人間が吸収するエネルギーが放射によって失うエネルギーに近づき、所望の暖房効果が得られる。パネルは、床、天井または壁に設置することが可能であるが、天井は床とともに面積が大きく、空調の効果が広範囲かつ均一に得られるので、パネルを設置する好ましい部位である。特許文献１，２には冷房機能に加えて除湿機能が付加された除湿型放射空調システムが開示されている。具体的には天井に設けられた複数の管路に冷水を通水することで、放射による冷房効果が得られるともに、管路の表面で結露を発生させることで室内の湿分が除去され、除湿効果が得られる。管路の表面で発生した結露水の落下を防止するため、管路の下方にドレン部材が設置されている。
【０００３】
特許文献３には、壁に設置される除湿型放射空調システムが開示されている。結露が発生する輻射パネルの表面には結露水の排水を促進するために、親水性の薄膜が形成されている。
【先行技術文献】
【特許文献】
【０００４】
【特許文献１】特開２００９−３０００５１号公報
【特許文献２】特開２０１２−７２９７７号公報
【特許文献３】登録実用新案第３０６４８３６号公報
【発明の概要】
【発明が解決しようとする課題】
【０００５】
特許文献１，２に記載された除湿型放射空調システムは管路の下方にドレン部材が設置されているが、このドレン部材は管路を遮蔽するため、所望の冷房効果が得られない可能性がある。しかしながら、所望の冷房効果を得るためにドレン部材を省略すると結露水の落下を防止することができない。特許文献３に記載されている輻射パネルと同様に管路の表面に親水性の薄膜を形成しても、壁に設置された除湿型放射空調システムと異なり、重力で結露水を排水することができないため、管路が保持可能な結露水の量を超えると、結露水は最終的に落下してしまう。
【０００６】
本発明は、天井に設置され、良好な除湿冷房効果が得られ、かつ結露水の排水が可能な除湿型放射空調システムを提供することを目的とする。
【課題を解決するための手段】
【０００７】
本発明の除湿型放射空調システムは、天井に設けられた少なくとも１枚のパネルを有している。パネルは、冷却され除湿される空間と対向する冷却除湿面を備え、冷却除湿面は当該空間を冷却するとともに、冷却除湿面に結露水を生じさせることによって当該空間を除湿する。冷却除湿面は結露水を保持しながら水下へ誘導するように、水平方向に対して傾斜している、除湿型放射空調システムはさらに、パネルを冷却する冷却手段と、パネルの水下に設けられ、結露水を回収する結露水回収手段と、結露水回収手段に接続された排水配管と、を有している。
【発明の効果】
【０００８】
本発明によれば、パネルの冷却除湿面は水平方向に対して傾斜しているため、冷却除湿面に発生した結露水は冷却除湿面上を水下に誘導され、水下に形成された結露水回収手段で回収される。冷却除湿面の水下を除き、冷却除湿面の下方に結露水回収手段を設ける必要がないため、冷却除湿面と下方空間にいる人間との間に他の構造物が介在することがない。従って、本発明によれば、天井に設置され、良好な除湿冷房効果が得られ、かつ結露水の排水が可能な除湿型放射空調システムを提供することができる。
【図面の簡単な説明】
【０００９】
【図１】本発明の第１の実施形態に係る除湿型放射空調システムの概要図である。
【図２】図１に示す除湿型放射空調システムの断面図である。
【図３】第１の実施形態に係る除湿型放射空調システムの変形例の概要図である。
【図４】本発明の第２の実施形態に係る除湿型放射空調システムの概要図である。
【図５】本発明の第３の実施形態に係る除湿型放射空調システムの概要図である。
【図６】第３の実施形態の変形例に係る除湿型放射空調システムの概要図である。
【図７】本発明の第４の実施形態に係る除湿型放射空調システムの概要図である。
【図８】本発明の第５の実施形態に係る除湿型放射空調システムの概要図である。
【図９】本発明の第６の実施形態に係る除湿型放射空調システムの概要図である。
【図１０】本発明の第７の実施形態に係る除湿型放射空調システムの概要図である。
【図１１】本発明の第８の実施形態に係る除湿型放射空調システムの概要図である。
【発明を実施するための形態】
【００１０】
以下、図面を参照して本発明のいくつかの実施形態を説明する。本発明は主として壁と床と天井とで画定される密閉された室内空間の除湿型放射空調に適用されるが、天井を備え密閉されていない空間の除湿型放射空調に適用することもできる。以下の説明及び図面において、第１の方向ｘは水上と水下を結ぶ水平方向、第２の方向ｙは第１の方向ｘと直交する水平方向、第３の方向ｚは第１の方向ｘ及び第２の方向ｙと直交する方向（鉛直方向）とする。図中の破線は結露水Ｗの流動経路を示す。
【００１１】
（第１の実施形態）
図１（ａ）は本発明の第１の実施形態に係る除湿型放射空調システム１０１の正面図である。除湿型放射空調システム１０１は、下方空間Ｒと対向する冷却除湿面２１を備えたパネル１０２と、パネル１０２を冷却する冷却手段３とを有している。本実施形態のパネル１０２は、天井１１に設けられた天井パネルを構成する。「天井１１に設けられる」とは、天井１１の近傍に、または天井１１に接して設けられることを意味し、パネル１０２が天井１１に支持されるか、天井１１以外のものに支持されるかを問わない。下方空間Ｒは、建物の躯体の一部である壁１２及び床１３と、パネル１０２とによって画定される、パネル１０２の下方の除湿冷却対象空間である。パネル１０２は建物の躯体の一部である天井１１（床板）の下方に設けられている。本実施形態ではパネル１０２は天井１１から離れて設けられているが、パネル１０２の一部が天井１１と密着していてもよい。冷却手段３はパネル１０２の冷却除湿面２１の裏面２２、すなわち天井１１と対向する面に設けられている。図１（ｂ）はパネル１０２の冷却除湿面２１の裏面２２の平面図（図１（ａ）のＡ方向から見た図）、図２（ａ）は図１（ａ）と同じ方向から見たパネル１０２と冷却手段３の部分詳細図、図２（ｂ）は図１（ｂ）のＢ−Ｂ線に沿った断面図である。本実施形態では、冷却手段３は、パネル１０２の冷却除湿面２１の裏面２２に配置され、冷媒が流通する冷却管３１である。冷却管３１はパネル１０２の裏面２２を蛇行する１本の管からなっている。冷却管３１は熱伝導率の高い金属で形成された支持部３２によってパネル１０２に支持されている。支持部３２は冷却除湿面２１に向かって断面が増加する断面形状を有している。パネル１０２の裏面２２の支持部３２との接触面積を確保することが容易であるため、パネル１０２の冷却効率が向上し、冷却除湿面２１のより広い範囲を効率的に冷却することができる。
【００１２】
パネル１０２の冷却除湿面２１は、下方空間Ｒを冷却する。下方空間Ｒにいる人間と冷却除湿面２１との間には熱放射（輻射熱）による熱移動が生じる。移動する熱量は下方空間Ｒにいる人間の表面体温（絶対温度）をＴｈ、冷却除湿面２１の表面温度（絶対温度）をＴｓとすると、（Ｔｈ４−Ｔｓ４）に比例する。ＴｓはＴｈより低く設定されるため、人間の輻射放熱量が輻射受熱量を上回り所望の冷却効果が得られる。また、冷媒の温度は下方空間Ｒの空気の露点温度より低く設定されるため、パネル１０２の冷却除湿面２１の温度も下方空間Ｒの空気の露点温度より低くなる。このため、下方空間Ｒの湿分は冷却除湿面２１で結露（凝縮）し、結露水に取り込まれる。これによって、下方空間Ｒが除湿される。
【００１３】
パネル１０２は結露水を保持しながら水下へ誘導するように水平方向に対して傾斜している。結露水は表面張力によって冷却除湿面２１に保持されながら、傾斜面を伝って水下側に膜状に流れる。冷却管３１の上流部はパネル１０２の水下側に、下流部はパネル１０２の水上側に位置している。このため、パネル１０２の水下側は水上側より低温となり、より多くの結露水が発生する。後述するようにパネル１０２の水下側には結露水回収手段４が設けられているため、このように冷却管３１を引き回すことにより、冷却除湿面２１に沿って移動する結露水の移動距離を少なくすることができる。また、万が一結露水が冷却除湿面２１から落下する場合でも、落下する結露水の量を抑制することができる。パネル１０２の冷却除湿面２１の第２の方向ｙの両側端部に下方に突き出す案内部材２３を設けてもよい。案内部材２３は第１の方向ｘに沿って水上から水下に延びており、冷却除湿面２１とともにコーナー部を形成している。結露水はコーナー部で表面張力によって保持されるため、冷却除湿面２１の第２の方向ｙの両側端部から落下しにくくなる。
【００１４】
図２（ａ）に示すように、冷却除湿面２１は、結露水を保持しながら水下へ誘導する第１の部分２１ａと、冷却除湿面２１の水下に位置し、第１の部分２１ａより親水性の低い（疎水性ないし撥水性の高い）第２の部分２１ｂとを有している。結露水は、第１の部分２１ａでは表面張力によって保持されながら水下側に向かって移動し、第２の部分２１ｂでは表面張力で保持されることなく落下する。親水性は一般に、液滴の輪郭曲線と固体表面との交点における輪郭曲線の接線が固体表面との間でなす接触角θで定義される。接触角θが小さいほど濡れ性が大きく、親水性も高い。接触角θが大きいほど濡れ性が小さく、疎水性が高くなる。接触角θは、第１の部分２１ａと第２の部分２１ｂの表面コーティングの種類を変えることによって容易に調整することができる。接触角θは第１の部分２１ａでは１０°程度以下であることが望ましく、第２の部分２１ｂでは９０°程度以上であることが望ましい。また、表面粗さが増加するにつれて、親水性表面では接触角θが小さくなり、疎水性表面では接触角θが増大するので、表面粗さを調整して親水性及び疎水性の程度を調整することも可能である。結露水の落下を促進するため、第２の部分２１ｂに下向きに突き出す突起２１ｃを設けてもよい。突起２１ｃを設ける場合、第２の部分２１ｂの撥水処理は省略することができる。
【００１５】
除湿型放射空調システム１は、結露水を回収する結露水回収手段４を有している。本実施形態の結露水回収手段４は、第２の部分２１ｂから間隔をおいて第２の部分２１ｂの下方に位置する結露水の受け皿である。結露水は第２の部分２１ｂから結露水回収手段４に落下する。図１（ｂ）に示すように、結露水回収手段４の第２の方向ｙにおける両側端部は冷却除湿面２１の第２の方向ｙにおける両側端部より外側にあるため、冷却除湿面２１から落下する結露水のほぼ全量を回収することができる。結露水回収手段４に接続された排水配管５は、下方空間Ｒの壁１２に沿って下方に延び、壁１２を貫通して下方空間Ｒの外部に達している。図示は省略するが、排水配管５は壁１２の内部を延びていてもよい。本実施形態では、冷却除湿面２１と下方空間Ｒとの間には結露水回収手段４と排水配管５を除いて構造物が介在していない。つまり、特許文献１，２に開示されたドレン部材のような、冷却除湿面２１より表面温度が高い構造物が冷却除湿面２１と下方空間Ｒ（にいる人間）との間に介在しないため、冷却効果の低下が防止される。
【００１６】
図３は第１の実施形態の変形例１０１’を示す図１（ａ）と同様の図である。冷却手段は、パネル１０２’の冷却除湿面２１の裏面２２と、パネル１０２’の上方にある天井１１と、壁１２とによって形成される屋根裏空間Ｒ１に冷風を導入する冷風供給設備３３である。冷風供給設備３３は冷却空気を生成する空調機３４と、空調機３４を屋根裏空間Ｒ１に接続するダクト３５とを有している。ダクト３５は屋根裏空間Ｒ１に冷風を導入するともに、冷風を屋根裏空間Ｒ１から吸い込み、空調機３４に還流する。本変形例では、パネル１０２’の冷却除湿面２１の裏面２２が冷風で均一に冷却される結果、冷却除湿面２１も均一に冷却され、下方空間Ｒに対する冷却効果がさらに均一化される。冷風が直接下方空間Ｒに流入しないように、パネル１０２’と壁１２との間にシール材６を設けてもよい。本変形例のパネル１０２’は冷却管３１を備えていないが、空調機３４のバックアップとして図１，２に示す冷却管３１を備えていてもよい。
【００１７】
以下、さらに他の実施形態について述べる。以下の実施形態において特に説明されていない構成及び効果は第１の実施形態と同様である。
【００１８】
（第２の実施形態）
図４（ａ）は本発明の第２の実施形態に係る除湿型放射空調システム２０１の正面図、図４（ｂ）は図４（ａ）のＡ部拡大図である。本実施形態は結露水回収手段４’の構成を除き、第１の実施形態と同様の構成を有している。結露水回収手段４’は、冷却除湿面２１の水下に設けられた第１の結露水溜め部４１と、パネル２０２の冷却除湿面２１の裏面２２に設けられた第２の結露水溜め部４２と、第１の結露水溜め部４１を第２の結露水溜め部４２と連結し、第１の結露水溜め部４１に保持される結露水を第２の結露水溜め部４２に毛細管力によって移送する複数の細管４３と、冷却除湿面２１の最下点から下方に延びる第１の縦板４４と、裏面２２の最下点から上方に延びる第２の縦板４５と、を有する。第２の結露水溜め部４２は排水配管５に接続されている。冷却除湿面２１を水下に向かって膜状に流れる結露水は第１の結露水溜め部４１に達する。第１の結露水溜め部４１は、冷却除湿面２１と第１の縦板４４とから構成される第１のコーナー部４１である。結露水は冷却除湿面２１及び第１の縦板４４との間に働く表面張力によって第１のコーナー部４１に保持される。結露水は細管４３を通って第２の結露水溜め部４２に移送される。第２の結露水溜め部４２は、パネル２０２の冷却除湿面２１の裏面２２と第２の縦板４５とから構成される第２のコーナー部４２である。第２のコーナー部４２に保持される結露水は第２の縦板４５を貫通する排水配管５によって第１の実施形態と同様にして排出される。第１のコーナー部４１は結露水の保持性能が要求されるため、第１の実施形態と異なり、冷却除湿面２１の水下とその近傍は親水性となっている。同様に、第１の縦板４４の冷却除湿面２１に面する面も親水性となっている。本実施形態は結露水の結露水回収手段４が不要であるため、下方空間Ｒから見た美観が向上するとともに、結露水が結露水回収手段４に落下する際の音が発生することもない。
【００１９】
（第３の実施形態）
図５（ａ）は本発明の第３の実施形態に係る除湿型放射空調システム３０１の正面図、図５（ｂ）は図５のＡ方向から見た除湿型放射空調システム３０１の上面図、図５（ｃ）は図５（ｂ）のＢ―Ｂ線に沿った断面図である。本実施形態は複数のパネル３０２ａ，３０２ｂ，３０２ｃがルーバー状に配置されている点を除き、第１の実施形態と同様の構成を有している。複数のパネル３０２ａ，３０２ｂ，３０２ｃは第１の方向ｘに互いに平行に延び、かつ第２の方向ｙに配列されている。また、複数のパネル３０２ａ，３０２ｂ，３０２ｃは第３の方向ｚ（鉛直方向）に見たときに互いに部分的に重なり合うルーバーをなしている。すなわち、各パネル２は図５（ｃ）に示すように、第１の方向ｘから見たときも水平面に対して傾斜している。この結果、結露水は第１の方向ｘだけでなく第２の方向ｙにも移動し、図５（ｂ）に示すように、第１の方向ｘに対し斜めの方向に移動する（矢印Ｆ）。結露水が第２の方向ｙにおける水下側に集中するため、図５（ｃ）に示すように、パネル３０２ａ，３０２ｂ，３０２ｃの第２の方向ｙにおける水下側の端部に結露水のガイド部７を設けてもよい。各パネル３０２ａ，３０２ｂ，３０２ｃはそれぞれの冷却管３１を備えている。結露水回収手段４は各パネル３０２ａ，３０２ｂ，３０２ｃに共通に設けられているが、それぞれのパネル３０２ａ，３０２ｂ，３０２ｃ毎に個別の結露水回収手段４を設けることもできる。本実施形態は天井面がルーバー状の外観を備えるため、意匠性が向上する。
【００２０】
図６は第３の実施形態の変形例に係る除湿型放射空調システム３０１’を示しており、図６（ａ）〜（ｃ）はそれぞれ図５（ａ）〜（ｃ）と対応している。本実施形態は複数のパネル３０２ａ’，３０２ｂ’，３０２ｃ’が鉛直方向に見たときに互いに離隔している（すなわち、ルーバーをなすように重なりあっていない）点を除き、図５に示す実施形態と同様の構成を有している。具体的には、パネル３０２ａ’，３０２ｂ’，３０２ｃ’の水平面に対する傾斜角θが、図５に示す実施形態と比べて大きくされている。傾斜角θは特に限定されないが、θ＝９０°であってもよい。すなわちパネル３０２ａ’，３０２ｂ’，３０２ｃ’は鉛直に設置されてもよい。本実施形態では傾斜角θを大きくとることができるため、結露水を重力によって冷却除湿面２１に沿って迅速に下方に流動させ、結露水をより効率的に回収することができる。また、パネルの設置枚数の制約が小さいため、より多くのパネルを設置することにより冷却除湿効果を高めることができる。
【００２１】
（第４の実施形態）
図７は本発明の第４の実施形態に係る除湿型放射空調システム４０１の正面図である。本実施形態では、複数のパネル、すなわち第１〜第３のパネル４０２ａ，４０２ｂ，４０２ｃが第１の方向ｘに沿って直列に、かつ互いに部分的に重なり合うように配列されている。各パネル４０２ａ，４０２ｂ，４０２ｃの水下は第１の実施形態と同様、親水性が低くされ、結露水が落下されやすくされている。各パネル４０２ａ，４０２ｂ，４０２ｃの水下にはそれぞれ結露水の結露水回収手段４ａ，４ｂ，４ｃが設けられ、結露水回収手段４ａ，４ｂ，４ｃにはそれぞれ排水配管５ａ，５ｂ，５ｃが接続されている。排水配管５ａ，５ｂ，５ｃは下方空間Ｒを出る位置で１本の排水配管５ｄに合流している。互いに隣接する一方のパネル（例えば４０２ａ）の水下は他方のパネル（例えば４０２ｂ）の水上の下方にある。従って、各パネル４０２ａ，４０２ｂ，４０２ｃの重心は第３の方向ｚ（鉛直方向）においてほぼ同じ高さにある。本実施形態は第１の実施形態と比較して、１枚のパネルを第１の方向ｘに分割したものであり、各パネル４０２ａ，４０２ｂ，４０２ｃの水上と水下の高低差を抑えられるため、下方空間Ｒの室内高さを確保することが容易である。なお、本実施形態では３枚のパネル４０２ａ，４０２ｂ，４０２ｃが第１の方向ｘに沿って直列に配列されているが、パネルの枚数（分割数）はこれに限定されず、任意の枚数のパネルを第１の方向ｘに沿って配列することができる。
【００２２】
（第５の実施形態）
図８は本発明の第５の実施形態に係る除湿型放射空調システム５０１の正面図である。本実施形態においても第４の実施形態と同様、複数のパネル、すなわち第１〜第３のパネル５０２ａ，５０２ｂ，５０２ｃが第１の方向ｘに沿って直列に、かつ互いに部分的に重なり合うように配列されている。第１のパネル５０２ａは最も水上側にあり、結露水回収手段４及び排水配管５から最も離れている。第３のパネル５０２ｃは最も水下側にあり、結露水回収手段４及び排水配管５に最も近接している。本実施形態では第４の実施形態と異なり、互いに隣接する一方のパネル（例えば５０２ａ）の水下が他方のパネル（例えば５０２ｂ）の水上の上方にある。このため、第１のパネル５０２ａの冷却除湿面２１に発生した結露水は第１のパネル５０２ａの冷却除湿面２１を水下に流れ、親水性の小さい第２の部分２１ｂ（図示せず）から隣接する第２のパネル５０２ｂの裏面２２に落下し、第２のパネル５０２ｂの裏面２２を水下に流れる。第２のパネル５０２ｂの裏面２２を流れる結露水はさらに隣接する第３のパネル５０２ｃの裏面２２に落下し、第３のパネル５０２ｃの裏面２２を水下に流れ、水下で下側（冷却除湿面２１）に回りこんで結露水回収手段４に回収される。本実施形態によれば、第１及び第２のパネル５０２ａ，５０２ｂで発生した結露水は隣接するパネルル５０２ｂ，５０２ｃの裏面２２に落下するため、結露水が下方空間Ｒに落下する可能性を抑制することができる。なお、隣接するパネル間の第３の方向ｚにおける間隔は結露水が通ることができる最小限の隙間でよい。
【００２３】
（第６の実施形態）
図９（ａ）は本発明の第６の実施形態に係る除湿型放射空調システム６０１の正面図である。本実施形態では第１の方向ｘに沿って直列に配列された一対のパネル６０２ａ，６０２ｂが設けられている。第４及び第５の実施形態と同様、１枚のパネル６０２ａ，６０２ｂあたりの高低差を抑えられるため、下方空間Ｒの室内高さを確保することが容易である。また、本実施形態では一方のパネル６０２ａの水下と他方のパネル６０２ｂの水下が互いに対向しており、一対のパネル６０２ａ，６０２ｂの水下の下方に一つの共通の結露水回収手段４が設けられている。従って、結露水回収手段４の数を削減することが可能である。なお、図９（ｂ）に示す除湿型放射空調システムの変形例６０１’のように、第１の方向ｘに沿って直列に配列されたパネルの対６０２ａ（６０２ａ’），６０２ｂ（６０２ｂ’）を複数個直列に配列してもよい。この場合、１枚のパネル６０２ａ，６０２ａ’，６０２ｂ，６０２ｂ’あたりの高低差をさらに抑えられるため、下方空間Ｒの室内高さを確保することが一層容易である。
【００２４】
（第７の実施形態）
図１０（ａ）は本発明の第７の実施形態に係る除湿型放射空調システム７０１の正面図である。本実施形態では、第６の実施形態と同様、第１の方向ｘに沿って直列に配列された一対のパネル７０２ａ，７０２ｂが設けられている。第４〜第６の実施形態と同様、１枚のパネル７０２ａ，７０２ｂあたりの高低差を抑えられるため、下方空間Ｒの室内高さを確保することが容易である。また、本実施形態では一方のパネル７０２ａの水上と他方のパネル７０２ｂの水上が互いに対向しており、一対のパネル７０２ａ，７０２ｂの水下の下方のそれぞれに結露水回収手段４が設けられている。なお、図１０（ｂ）に示す除湿型放射空調システムの変形例７０１’のように、第１の方向ｘに沿って直列に配列されたパネル７０２ａ（７０２ａ’），７０２ｂ（７０２ｂ’）の対を複数個直列に配列してもよい。この場合、１枚のパネル７０２ａ，７０２ａ’，７０２ｂ，７０２ｂ’あたりの高低差をさらに抑えられるため、下方空間Ｒの室内高さを確保することが一層容易である。第１の方向ｘに関し中央にあるパネル７０２ａ’，７０２ｂで発生した結露水は共通の結露水回収手段４で回収することができ、共通の結露水回収手段４は第１の方向ｘに関し両端にあるいずれかの排水配管５に排水配管５’を介して接続される。
【００２５】
（第８の実施形態）
図１１は本発明の第８の実施形態に係る除湿型放射空調システム８０１の正面図である。パネル２の冷却除湿面２１には光触媒膜８が形成されている。光触媒膜８は例えば酸化チタン、酸化タングステンから形成される。光触媒膜８は冷却除湿面２１への埃の吸着を防ぐ。窓開口１４の近傍には自然光拡散照射手段９が設置されている。自然光拡散照射手段９の表面は光拡散効果の高い材質、例えばフッ素樹脂、アクリル樹脂からなる。自然光拡散照射手段９の表面に照射された自然光は反射拡散され、光触媒膜８が形成された冷却除湿面２１に照射される。自然光の照射により冷却除湿面２１の親水性が維持される。自然光が冷却除湿面２１に均一に照射されるように、自然光拡散照射手段９は可動式であってもよい。例えば、自然光拡散照射手段９は太陽光の入射角度に応じて太陽光が冷却除湿面２１に効率的に照射されるように、回動軸９ａの周りを回動することができる。
【００２６】
以上、本発明を様々な実施形態によって説明したが、本発明はこれらに限定されるものではない。また、以上説明した実施形態は可能な範囲で様々に組み合わせることができる。例えば、第３の実施形態はパネルを第２の方向ｙに分割したものであり、第４〜第７の実施形態はパネルを第１の方向ｘに分割したものであるが、これらは組み合わせることが可能である。第３〜第７の実施形態のいずれにおいても、パネルをユニット化し、下方空間Ｒの大きさに合わせて必要な数のパネルを組み合わせることが可能である。しかし、第３の実施形態と第４〜第７の実施形態を組み合わせることで、小型化、モジュール化されたパネルを、下方空間Ｒの第１の方向ｘと第２の方向ｙの大きさに合わせて、第１の方向ｘと第２の方向ｙに必要な数だけ組み合わせて使うことができる。このようなモジュール化の手法は長方形以外の任意の平面形状の下方空間Ｒに有効である。
【符号の説明】
【００２７】
１０１，１０１’，２０１，３０１，３０１’，４０１，５０１，６０１，６０１’，７０１，７０１’，８０１  除湿型放射空調システム
１０２  ２０２，３０２ａ，３０２ｂ，３０２ｃ，３０２ａ’，３０２ｂ’，３０２ｃ’，４０２ａ，４０２ｂ，４０２ｃ，５０２ａ，５０２ｂ，５０２ｃ，６０２ａ，６０２ａ’，６０２ｂ，６０２ｂ’，７０２ａ，７０２ａ’，７０２ｂ，７０２ｂ’  パネル
１１  天井
１２  壁
１３  床
１４  窓開口
２１  冷却除湿面
２１ａ  第１の部分
２１ｂ  第２の部分
２２  冷却除湿面の裏面
３  冷却手段
３１  冷却管
３３  冷風供給設備
４，４’，４ａ，４ｂ，４ｃ  結露水回収手段
５，５ａ，５ｂ，５ｃ，５ｄ  排水配管
８  光触媒膜
９  自然光拡散照射手段
Ｒ  下方空間
【図１】
2019060586.tif 000003
【図２】
2019060586.tif 000004
【図３】
2019060586.tif 000005
【図４】
2019060586.tif 000006
【図５】
2019060586.tif 000007
【図６】
2019060586.tif 000008
【図７】
2019060586.tif 000009
【図８】
2019060586.tif 000010
【図９】
2019060586.tif 000011
【図１０】
2019060586.tif 000012
【図１１】
2019060586.tif 000013